(57)【特許請求の範囲】
【請求項１】
１対の供給リールから巻き取りリールに巻装されたテープ状記録媒体を駆動走行させる駆動装置において、
上記テープ状記録媒体に設けられた不揮発性記憶媒体から、当該テープ状記録媒体にファイル管理されて記録された情報のファイル内での位置を示すタイムコード情報と、当該テープ状記録媒体に記録されたファイルの記録開始点における上記巻き取りリール側の巻径を示す巻径情報とが対応づけられたファイル情報を読み出して、当該読み出したファイル情報を記憶する記憶手段と、
上記テープ状記録媒体を駆動走行させる駆動走行手段と、
上記１対の供給リールから巻き取りリールに巻装された上記テープ状記録媒体に記録されたファイルの記録開始点における上記巻き取りリール側の巻径を示す巻径情報を算出する巻径情報算出手段と、
上記テープ状記録媒体にファイル管理されて記録された情報のファイル内での位置を示すタイムコード情報と、上記巻径情報算出手段によって算出された上記巻径情報とを対応づけて、上記記憶手段に記憶されたファイル情報を更新するとともに、上記不揮発性記憶媒体に送信して当該不揮発性記憶媒体が記憶するファイル情報を更新させる更新手段と、
上記テープ状記録媒体においてアクセスを希望するファイル内のタイムコード情報が、ユーザにより指定される指定手段と、
上記指定手段により指定されたファイルに対応する巻径情報を上記記憶手段から読み出して、当該読み出した巻径情報に基づいて上記駆動走行手段を制御して上記テープ状記録媒体に記録された情報のアクセス制御を行う制御手段と、
上記テープ状記録媒体に記録された上記タイムコード情報を抽出する抽出手段とを備え、
上記制御手段は、上記巻径情報に基づいて上記駆動走行手段を制御してキューアップし、当該キューアップ動作が終了した後、上記指定手段により指定されたタイムコード情報が上記抽出手段により抽出されるまで、上記駆動走行手段を制御して、上記テープ状記録媒体を駆動走行させる駆動装置。
【発明の詳細な説明】
【０００１】
【発明の属する技術分野】
本発明は、テープ状記録媒体に記録されたファイルへの適切なアクセスをする駆動装置に関する。
【０００２】
【従来の技術】
テープ状の磁気記録媒体に記録された情報、例えば、映像情報や音声情報から所望の情報を検索する場合、当該情報記録時に磁気テープ上の長手方向に設けられた所定のトラックに記録された当該情報の記録時間を示すタイムコード（ＴＣ）情報、あるいは、テープ走行サーボ制御に用いられるコントロール信号（ＣＴＬ）が用いられる。
【０００３】
たとえば、磁気テープを備えるビデオカセットを装着して、磁気テープに映像情報、音声情報を記録したり、磁気テープに記録された映像情報、音声情報の再生をしたりするビデオテープレコーダ（以下、ＶＴＲと呼ぶ）では、磁気テープ上に記録された情報からユーザが所望する情報を検索する際、当該情報と共に記録されたタイムコード（ＴＣ）を利用して、当該情報が記録された位置まで磁気テープを走行させることで検索を行っていた。
【０００４】
【発明が解決しようとする課題】
磁気テープ上に記録されるタイムコード（ＴＣ）は、磁気テープ上に記録された映像情報や音声情報の磁気テープにおける絶対的な位置を示す情報ではなく、ユーザによってタイムコード（ＴＣ）の開始点が変更可能であったりするような、映像情報、音声情報の記録開始点を基準とした相対的な位置を示す情報である。
【０００５】
したがって、磁気テープ上には同一のタイムコード（ＴＣ）が存在することが頻繁に生ずるため、タイムコード（ＴＣ）情報のみを用いて、磁気テープに記録された情報からユーザが所望する情報を検索することは非常に困難であるといった問題があった。
【０００６】
そこで、ユーザは、上述したようなタイムコード（ＴＣ）情報に基づいた所望の情報の検索を、実際に磁気テープを再生させ視覚又は聴覚で確認することで確実なものとしていた。
【０００７】
しかし、ユーザの視覚や聴覚に依存した情報検索は、確実ではあるが、非常に手間がかかり、多大な時間を要してしまうといった問題がある。
【０００８】
そこで、本発明は上述したような問題を解決するために案出されたものであり、テープ状記録媒体に記録された情報に、ユーザの視覚や聴覚に頼ることなく確実にアクセスすることができる駆動装置を提供することを目的とする。
【０００９】
【課題を解決するための手段】
上述の目的を達成するために、本発明に係る駆動装置は、１対の供給リールから巻き取りリールに巻装されたテープ状記録媒体を駆動走行させる駆動装置において、テープ状記録媒体に設けられた不揮発性記憶媒体から、テープ状記録媒体にファイル管理されて記録された情報のファイル内での位置を示すタイムコード情報と、テープ状記録媒体に記録されたファイルの記録開始点における巻き取りリール側の巻径を示す巻径情報とが対応づけられたファイル情報を読み出して、読み出したファイル情報を記憶する記憶手段と、テープ状記録媒体を駆動走行させる駆動走行手段と、１対の供給リールから巻き取りリールに巻装されたテープ状記録媒体に記録されたファイルの記録開始点における巻き取りリール側の巻径を示す巻径情報を算出する巻径情報算出手段と、テープ状記録媒体にファイル管理されてファイルとして記録された情報のファイル内での位置を示すタイムコード情報と、巻径情報算出手段によって算出された巻径情報とを対応づけて、記憶手段に記憶されたファイル情報を更新するとともに、不揮発性記憶媒体に送信して不揮発性記憶媒体が記憶するファイル情報を更新させる更新手段と、テープ状記録媒体においてアクセスを希望するファイル内のタイムコード情報が、ユーザにより指定される指定手段と、指定手段により指定されたファイルに対応する巻径情報を記憶手段から読み出して、読み出した巻径情報に基づいて駆動走行手段を制御してテープ状記録媒体に記録された情報のアクセス制御を行う制御手段と、テープ状記録媒体に記録されたタイムコード情報を抽出する抽出手段とを備え、制御手段は、巻径情報に基づいて駆動走行手段を制御してキューアップし、キューアップ動作が終了した後、指定手段により指定されたタイムコード情報が抽出手段により抽出されるまで、駆動走行手段を制御して、テープ状記録媒体を駆動走行させる。
【００１０】
【発明の実施の形態】
以下、本発明に係る駆動装置の実施の形態を図面を参照しながら詳細に説明する。
【００１１】
本発明は、図１にブロック図として示したビデオテープレコーダ（以下、ＶＴＲとする）に適用される。本発明の実施の形態として示すＶＴＲは、磁気テープを備えたビデオカセットを当該ＶＴＲが備えるビデオカセット装着部に装着させ、映像信号、音声信号の上記磁気テープへの記録、又は、上記磁気テープからの再生をファイルシステムによるファイル管理によって行ったり、ファイルシステムを介さずに行うことができる装置である。磁気テープへ記録する映像信号は、所定のネットワークを介して外部装置から入力され、磁気テープから再生した映像信号は、所定のネットワークを介して外部装置へ出力される。
【００１２】
ＶＴＲは、ネットワークインターフェース１と、バッファメモリ２と、ＶＴＲシステム３と、コントロールパネル４と、ファイルシステム制御部５と、エンコーダ／デコーダ（以下、ＥＮＣ／ＤＥＣと呼ぶ）６と、ファイルシステム用メモリ７と、ＣＰＵ８とを備えている。
【００１３】
ネットワークインターフェース１は、当該ＶＴＲと、外部装置とをネットワークを介して接続するためのインターフェースである。当該ＶＴＲには、外部装置からネットワークインターフェース１を介して、映像信号、音声信号が入力される。
【００１４】
ＶＴＲが当該ネットワークインターフェース１を介して接続されるネットワークは、例えば、ＬＡＮ（Local Area Network）などであり、ＯＳＩ（Open Systems Interconnection）参照モデルのデータリンク層の一部と、物理層をカバーするプロトコルとしてＥｔｈｅｒｎｅｔ（登録商標）を用い、ネットワーク層、トランスポート層をカバーするプロトコルとしてＴＣＰ（Transmission Control Protocol）／ＩＰ（Internet Protocol）を用い、さらに、セッション層、プレゼンテーション層、アプリケーション層をカバーするプロトコルとしてＦＴＰ（File Transfer Protocol）を用いることで映像情報、音声情報を送受信できる。
【００１５】
ネットワークインターフェース１は、例えば、ネットワーク接続用の専用基板であるＮＩＣ（Network Interface Card）であり、データ転送速度が１０Ｍｂｐｓ、１００Ｍｂｐｓ、さらには１Ｇｂｐｓの高速データ伝送に対応したＬＡＮケーブルを接続可能なコネクタを備えている。
【００１６】
ネットワークインターフェース１から入力された映像信号、音声信号は、後段のバッファメモリ２に送出され、一時的にバッファリングされ、さらにＶＴＲシステム部３に送出される。
【００１７】
また、後述するようにして再生時において、ＶＴＲシステム部３で再生された映像信号、音声信号は、バッファメモリ２に出力され一時的にバッファリングされ、後段のネットワークインターフェース１を介して外部装置へ送出される。
【００１８】
ネットワークインターフェース１は、ネットワークを介して外部装置から送信されるファイルシステム制御部５へのコマンド、例えば、ＦＴＰコマンドなどをファイルシステム制御部５へ送出する。
【００１９】
ＶＴＲシステム部３は、磁気テープを備えたビデオカセット１０を図示しないビデオカセット装着部に装着し、上述したバッファメモリ２から送出された映像信号、音声信号の磁気テープへの記録、磁気テープ上に記録された映像信号、音声信号の再生を実行する。
【００２０】
ＶＴＲシステム部３は、装着されたビデオカセット１０の磁気テープを走行駆動させる磁気テープ駆動部と、バッファメモリ２から入力された映像信号、音声信号を磁気テープへ記録させるために最適な所定の信号形式に変換する記録信号処理、及び、磁気テープに記録された映像信号、音声信号を再生して所定の信号形式に変換する再生信号処理を実行する信号処理部とを備えている。
【００２１】
磁気テープ駆動部は、例えば、ビデオカセット１０が図示しない装着部に装着されると、テープローディング機構によってビデオカセット１０の筐体（以下、ビデオカセット１０の筐体をカセットハーフと呼ぶ）内から、図２に示すように磁気テープ１１を引き出す。引き出された磁気テープ１１は、供給リール（以下、Ｓリールと呼ぶ）１２からテープガイド１３を経由し、図示しない記録用磁気ヘッドと、再生用磁気ヘッドとを有する回転ドラム１４に既定の巻き付け角度で且つ一定のテンションにて巻き付けられ、磁気テープ１１を既定の速度で走行させるキャプスタン１５と、ピンチローラ１６とに挟まれた経路を通過して、巻き取りリール（以下、Ｔリールと呼ぶ）１７へと到達する。
【００２２】
Ｓリール１２、キャプスタン１５、Ｔリール１７には、それぞれを回転駆動させる専用の動力部である図示しないＳリールモータ、キャプスタンモータ、Ｔリールモータがそれぞれ備えられている。
【００２３】
Ｓリールモータ、キャプスタンモータ、Ｔリールモータには、それぞれ図示しないＦＧ（周波数発生器）が備えられており、各モータの回転情報が検出され、検出されたモータの回転情報は、ファイル情報の１つである巻径情報を算出する際に用いられる。
【００２４】
磁気テープ駆動部のＳリール１２、回転ドラム１３、キャプスタン１５、Ｔリール１７は、ＣＰＵ８によってそれぞれを駆動する図示しないモータが制御されることで磁気テープ１１を駆動走行させる。
【００２５】
信号処理部は、記録時に、バッファメモリ２から入力された映像信号に、例えば、ＭＰＥＧ（Moving Picture Expert Group）による圧縮符号化をし、圧縮符号化した映像信号、及び、バッファメモリ２から入力された音声信号にリードソロモン積符号による誤り訂正符号化を施して、誤り訂正コードを付加し、さらに同期データ、ＩＤデータを付加した後、チャンネルコーディングされたシリアルデータを形成して、これを記録用磁気ヘッドによって磁気テープ１１上の所定のトラック、映像信号はＶＩＤＥＯトラック、音声信号はＡＵＤＩＯトラックに記録をする。信号処理部は、ＭＰＥＧによる圧縮符号化を行っており、圧縮符号化された映像信号を１ＧＯＰ毎に磁気テープ１１に記録をしている。
【００２６】
磁気テープ１１上の長手方向に設けられたコントロールトラックには、テープ走行サーボ制御に用いられるコントロール信号が記録され、タイムコード（ＴＣ）トラックには、磁気テープ１１に記録された映像信号の位置情報であるタイムコード（ＴＣ）が記録される。
【００２７】
また、信号処理部は、再生時に、再生用磁気ヘッドによって読み出された映像信号、音声信号を記録時とは逆の処理を施し、誤り訂正がなされた音声信号をバッファメモリ２へ出力し、同じく誤り訂正がなされた映像信号を伸長復号してバッファメモリ２へ出力する。
【００２８】
ＶＴＲシステム３は、後述するコントロールパネル４からのコマンド入力に応じて、又は、後述するファイルシステム制御部５からの指令を受けたＣＰＵ８のファイルシステムに基づいた制御に応じて、磁気テープ駆動部が磁気テープを所定の速度で走行させると共に、信号処理部が磁気テープ１１へ映像信号、音声信号の記録又は磁気テープ１１から映像信号、音声信号を再生する。
【００２９】
コントロールパネル４は、ユーザが指定するＶＴＲシステム部３の所定の動作を制御するためのコマンドを入力するための操作部である。コントロールパネル４から入力されるコマンドはＶＴＲシステム部３に送出される。ユーザは、例えば、コントロールパネル４から磁気テープ１１への映像信号、音声信号の記録を指示する記録コマンドや、磁気テープ１１へ記録されている映像信号、音声信号の再生を指示する再生コマンドや、磁気テープ１１を早送りをする早送りコマンドや、磁気テープ１１を巻き戻す巻き戻しコマンドなどを入力する。コントロールパネル４から入力するコマンドによって、後述するファイルシステムによる管理を経由せずに磁気テープ１１へ所定の映像信号、音声信号を記録することができる。
【００３０】
続いて、ＶＴＲのファイルシステムのファイル管理を担うファイルシステム制御部５、ＥＮＣ／ＤＥＣ６、ファイルシステム用メモリ７、ＣＰＵ８の各機能について説明する前に、本発明の実施の形態として示すＶＴＲのファイルシステムによるファイル管理の概略について説明する。
【００３１】
ファイルシステムは、磁気テープ１１に記録された映像信号、音声信号をファイル化し、ファイル情報に基づいて、ファイル管理をするシステムである。ファイルシステムのファイル管理に用いるファイル情報は、当該ファイルが記録されている各ビデオカセット１０毎に、ビデオカセット１０に貼り付けられた後述するメモリタグ２５に記憶保持される。
【００３２】
メモリタグ２５に記憶保持されているファイル情報は、ビデオカセット１０が当該ＶＴＲの図示しないビデオカセット装着部に装着されると、メモリタグ２５から非接触でＥＮＣ／ＤＥＣ６へファイル情報が送信され、送信されたファイル情報は、ファイルシステム用メモリ７に格納される。このファイルシステム用メモリ７によって格納されたファイル情報は、ファイルシステム制御部５の指令によってＣＰＵ８によって管理され、例えば、ファイルの新規作成、ファイルの更新などが実行される。ファイルシステム用メモリ７のファイル情報が変更、追加、削除がなされると、今度は逆に、ＥＮＣ／ＤＥＣ６からメモリタグ２５へファイル情報が送信され、メモリタグ２５のファイル情報も随時更新される。
【００３３】
ファイルシステム制御部５は、ネットワークインターフェース１を介して、外部装置から送信されるファイル制御のためのコマンド、例えば、ファイル転送などに関するＦＴＰコマンドを受信し、コマンドの指令に応じてＣＰＵ８を制御し、ファイルシステム用メモリ７に記憶されているファイルシステムの内容の更新、削除、新規ファイルの追加などの処理を実行させる
ここで、ビデオカセット１０に貼り付けられたファイル情報を記憶保持するためのメモリタグ２５について説明をする。
【００３４】
メモリタグ２５は、ＥＥＰＲＯＭ（Electrically Erasable Programmable Read-Only Memory）のような記録保持動作が不要で書き換え可能なＩＣメモリ２２と、後述するコイルアンテナ２４で受信された信号をエンコードしてＩＣメモリ２２に書き込み、ＩＣメモリ２２に記憶されている情報を読み出して所定の信号にデコードして後述するコイルアンテナ２４へ送出するエンコーダ／デコーダ（以下、ＥＮＣ／ＤＮＣと呼ぶ）２３と、電磁的に電源の供給及び信号の送受信を行うためのコイルアンテナ２４などを内蔵しており、ＶＴＲのＥＮＣ／ＤＥＣ６と非接触でファイル情報の送受信を行う。メモリタグ２５は、ビデオカセット１０のカセットハーフに貼り付けられる、例えば、磁気テープ１１に記録された内容のタイトルなどが手書き或いはプリントなどにより書き込まれるラベル２１に内蔵されている。
【００３５】
ファイル情報は、このビデオカセット１０のカセットハーフに貼り付けられたメモリタグ２５のＩＣメモリ２２に映像信号の磁気テープ１１への記録時に書き込まれる。また、ビデオカセットを図示しないビデオカセット装着部に装着すると、ＩＣメモリ２２に記憶されているファイル情報が読み出され、ファイルシステム用メモリ７にファイルシステムとして展開される。
【００３６】
以下に、メモリタグ２５のＩＣメモリ２２に記憶される具体的なファイル情報を示す。磁気テープ１１上に記憶された各ファイルのファイル情報は、当該ファイルの名称であるファイル名情報と、当該ファイルの磁気テープ１１上の相対的な位置情報であるファイル開始タイムコード（ＴＣ）情報と、当該ファイルの磁気テープ１１上の絶対的な位置情報であるファイル開始Ｔ側巻径情報と、当該ファイルの磁気テープ１１上の相対的な位置情報であるファイル終了タイムコード（ＴＣ）情報と、当該ファイルの磁気テープ１１上の絶対的な位置情報であるファイル終了Ｔ側巻径情報と、当該ファイルのデータサイズを示すファイルサイズ情報と、当該ファイルに対する実行可能な操作区分、例えば、所有、読み込み、書き込み、実行などを示したファイルアクセス権限情報と、当該ファイルである映像信号の映像方式、例えば、ＮＴＳＣ（National Television System Committee）、ＰＡＬ（Phase Alternation by Line）といった情報を示すシステム情報と、ＭＰＥＧ（Moving Picture Experts Group）圧縮された画像のビットレートをストリーム情報と、当該ファイルが作成された日付を示すファイル作成日情報と、当該ファイルが作成された時間を示すファイル作成時間情報と、当該ファイルが更新された日付を示すファイル更新日情報と、当該ファイルが更新された時間を示すファイル更新時間情報である。
【００３７】
エンコーダ／デコーダ（以下、ＥＮＣ／ＤＥＣと呼ぶ）６は、図示しないコイルアンテナを有しており、非接触型のメモリタグ２５内のコイルアンテナ２４との間で電磁結合をすることで、メモリタグ２５へ電力供給を行うと共に、メモリタグ２５とファイル情報の送受信を行う。
【００３８】
ＥＮＣ／ＤＥＣ６は、メモリタグ２５のコイルアンテナ２４から送信されたファイル情報をエンコードして後段のファイルシステム用メモリ７へ送出する。またＥＮＣ／ＤＥＣ６は、後述するファイルシステム制御部５の制御によりファイルシステムの内容が更新、新規追加された場合に該当するファイル情報を読み出して所定の信号へデコードし、図示しないコイルアンテナから、メモリタグ２５のコイルアンテナ２４へとファイル情報を送信する。
【００３９】
ファイルシステム用メモリ７は、例えば、書き込み、読み出し自在なＲＡＭ（Random Access Memory）などであり、ＥＮＣ／ＤＥＣ６にメモリタグ２５から送信された上述したファイル情報をファイルシステムとして格納する。
【００４０】
ＣＰＵ８は、ＶＴＲの各部を統括的に制御する。また、ＣＰＵ８は、ファイルシステム制御部５からの指令によりファイルシステム用メモリ７に記憶されているファイルシステム内のファイル情報を読み取って、それを基にＶＴＲシステム部３の動作を制御したり、ファイルシステム用メモリ７に記憶されているファイルシステムの内容の更新、削除、新規追加などをする。
【００４１】
続いて、本発明の実施の形態として示すＶＴＲのファイルアクセス動作について説明をする。当該ＶＴＲのファイルアクセス動作では、従来から用いられてるタイムコード（ＴＣ）の他に、磁気テープ１１のＳリール１２、Ｔリール１７の巻径情報を用いる。そこで、Ｓリール１２、Ｔリール１７の巻径情報の求め方について説明をする。
【００４２】
巻径情報は、タイムコード（ＴＣ）情報と同様にファイルシステムとしてファイルシステム用メモリ７に記憶されるファイル情報の１つであり、タイムコード（ＴＣ）情報が、磁気テープ１１上に記録されたファイルの相対的な位置を示す情報であるのに対し、巻径情報は磁気テープ１１上に記録されたファイルの絶対的な位置を示す情報である。巻径情報は、ファイル作成時にＣＰＵ８によって生成され、ファイル情報としてファイルシステム用メモリ７に記憶される。
【００４３】
磁気テープ１１を低速、例えば、再生動作させるには、磁気テープ１１の走行を一定の速度で安定に走行させる必要があるため、磁気テープ１１を走行させるキャプスタン１５に磁気テープ１１をピンチローラ１６で圧着させ、キャプスタン１５と、Ｓリール１２と、Ｔリール１７を連動させて磁気テープ１１を走行させる。これに対し、磁気テープ１１を高速で走行させる場合は、ピンチローラ１６は、キャプスタン１５から離れ、その後はＳリール１２と、Ｔリール１７が連動することで磁気テープ１１を走行させる。このようにして、磁気テープ１１を走行させると、Ｓリール１２、Ｔリール１７の半径（以下、巻径とよぶ）は、時々刻々と変化することになる。
【００４４】
ところで、キャプスタン１５は、磁気テープ１１が巻き付くことがないため、磁気テープの移動量は、キャプスタン１５の回転数と軸径から容易に求めることができる。
【００４５】
したがって、ピンチローラ１６がキャプスタン１５に圧着した状態（以下、ＯＮモードともいう）、つまり磁気テープ１１の低速走行の際には、キャプスタン１５の回転数とキャプスタン１５の軸径からテープの移動量を求め、求めた移動量をリール１２、Ｔリール１７、それぞれの回転数×２πの値で割ることで、Ｓリール、Ｔリールの巻径を求めることができる。
【００４６】
また、ピンチローラ１６がキャプスタン１５から離れた状態（以下、ＯＦＦモードともいう）、つまり磁気テープ１１の高速走行の際には、以下に示す方法によってＳリール１２、Ｔリール１７の巻径を求めることができる。
【００４７】
Ｓリール１２の巻径をＲｓｏ、Ｔリール１７の巻径をＲｔｏとすると、磁気テープ１１の総量をＴｖ（Total Volume）は、巻径がＲｓｏの円の面積と、巻径がＲｔｏの円の面積とを足し合わせた面積を有する円の巻径である。したがって、（１）式のような関係が得られる。
【００４８】
π・Ｔｖ２＝π・Ｒｓｏ２＋π・Ｒｔｏ２    ・・・（１）
【００４９】
また、（１）式より（１）’式が得られる。
【００５０】
Ｔｖ２＝Ｒｓｏ２＋Ｒｔｏ２   ・・・（１）’
【００５１】
（１）式は、磁気テープ１１の投影面積が不変であることを考慮すると、任意の時刻におけるＳリール１２の巻径Ｒｓ、Ｔリール１７の巻径Ｒｔについても成り立つ。（１）’式に、巻径Ｒｓ、巻径Ｒｔを代入すると（１）’’式が得られる。
【００５２】
Ｔｖ２＝Ｒｓ２＋Ｒｔ２   ・・・（１）’’
【００５３】
ここで、Ｓリール１２の巻径Ｒｓと、Ｔリール１７の巻径Ｒｔとの比率をＲａｔｉｏ＝Ｒｔ／Ｒｓとすると、（２）式及び（３）式が得られる。
【００５４】
【数１】
0004306141.tif 000002
【００５５】
以上より、Ｓリール１２の巻径Ｒｓ、Ｔリールの巻径Ｒｔは、磁気テープ１１の総量Ｔｖと、比率Ｒａｔｉｏとによって求めることができる。
【００５６】
図３は、巻径Ｒｓ、Ｒｔを算出する際に必要な定数及び変数について記した図である。
【００５７】
磁気テープ１１の総量Ｔｖ及び比率Ｒａｔｉｏは、以下の▲１▼〜▲３▼の工程を実行することで求められる。
【００５８】
▲１▼  まず、ビデオカセット１０をＶＴＲの図示しない装着部に装着すると、ＣＰＵ８は、ＶＴＲシステム部３を制御し、磁気テープ１１をキャプスタン１５で走行させ、キャプスタンモータに備えられたＦＧ（周波数発生器）のカウント数ＳＲＣＦＧが｜ＳＲＣＦＧ｜＞ＳＲＣＧＦ１となった時点で、次式より基準となる総量Ｔｖｏを求める。
【００５９】
【数２】
0004306141.tif 000003
【００６０】
▲２▼  さらに、ＣＰＵ８は、ＶＴＲシステム部３を制御し、磁気テープ１１をキャプスタン１５で走行させて、｜ＳＲＣＦＧ｜＞ＳＲＣＦＧ２となった時点で、次式より総量ＳＲｔｍｐを求める。
【００６１】
【数３】
0004306141.tif 000004
【００６２】
【数４】
0004306141.tif 000005
【００６３】
算出された総量ＳＲｔｍｐが（４）式に示す範囲を満たす場合は次の工程へと進み、満たさない場合は、キャプスタン１５、Ｓリール１２、Ｔリール１７のそれぞれのＦＧでカウントされたＳＲＣＦＧ、ＳＲＳＦＧ、ＳＲＴＦＧの計測値をリセットして、▲１▼の工程を再び繰り返す。
【００６４】
▲３▼  算出したＳＲｔｍｐが（４）式を満たしたので、Ｔｖｏ＝ＳＲｔｍｐとし、さらに磁気テープ１１をキャプスタン１５で走行させ、｜ＳＲＣＦＧ｜＞ＳＲＣＧＦ３となった時点で、次式より総量ＳＲｔｍｐを求める。
【００６５】
【数５】
0004306141.tif 000006
【００６６】
【数６】
0004306141.tif 000007
【００６７】
算出された総量ＳＲｔｍｐが（５）式に示す範囲を満たさない場合は、キャプスタン１５、Ｓリール１２、Ｔリール１７のそれぞれのＦＧでカウントされたＳＲＣＦＧ、ＳＲＳＦＧ、ＳＲＴＦＧの計測値をリセットして、▲１▼の工程を再び繰り返す。（５）式を満たす場合は総量Ｔｖ及び比率Ｒａｔｉｏを以下のように定める。
【００６８】
【数７】
0004306141.tif 000008
【００６９】
以上のようにして、ビデオカセット１０がＶＴＲの図示しない装着部に装着されると、Ｓリール１２の巻径Ｒｓ、Ｔリール１７の巻径Ｒｔを算出するのに必要な総量Ｔｖ及び比率Ｒａｔｉｏが求められ、ＣＰＵ８に保持される。
【００７０】
＜ＯＦＦモードでの巻径Ｒｓ、Ｒｔの算出＞
ＣＰＵ８は、Ｓリール１２、Ｔリール１７のそれぞれのＦＧでカウントされたＳＲＳＦＧ、ＳＲＴＦＧの計測値をリセットし、磁気テープ１１をキャプスタン１５で走行させて、Ｒｗｉｎｄ＜｜ＳＲＳＦＧ｜、且つ、Ｒｗｉｎｄ＜｜ＳＲＴＦＧ｜になった時点で、次式より比率ｔｍｐを求める。
【００７１】
【数８】
0004306141.tif 000009
【００７２】
【数９】
0004306141.tif 000010
【００７３】
算出されたｔｍｐが（６）式を満たさなかった場合、比率Ｒａｔｉｏは、以下に示すようになる。
【００７４】
【数１０】
0004306141.tif 000011
【００７５】
逆に算出されたｔｍｐが（６）式を満たした場合は、比率Ｒａｔｉｏ＝ｔｍｐとなり、Ｓリール１２の巻径Ｒｓ及びＴリール１７の巻径Ｒｔは以下に示すように求められる。
【００７６】
【数１１】
0004306141.tif 000012
【００７７】
一般に磁気テープをロール状に巻くと、磁気テープと磁気テープとの間には空気層が生じたり、テープ端がよれやすくなるため、テープの巻径が大きくなればなるほど、テープの巻径は誤差を含むことになる。また、ビデオカセット１０の磁気テープ１１は、主にテープ始めの付近にファイルが作成されることが多く、この場合、Ｓリール１２の磁気テープ１１の巻き付け量が多くなっているのでＳリール１２の巻径情報は誤差を含んでいる可能性が高くなる。したがって、本発明の実施の形態として示すＶＴＲでは巻径情報として、Ｔリール１７側の巻径情報を用いることとする。
【００７８】
以上のようにして巻径情報が得られることを前提とし、図４に示すフローチャートを用い、本発明の実施の形態として示すＶＴＲの磁気テープ１１上に記録されたファイルへのアクセス動作について説明をする。
【００７９】
まず、ステップＳ１において、ユーザは、アクセスを希望するファイルのファイル名と、当該ファイルの所望の位置のタイムコードを、例えば、コントロールパネル４から指定する。ＣＰＵ８は、指定されたファイル名より、ファイルシステム用メモリ７に記憶されている指定されたファイルのファイル開始Ｔ側巻径情報を読み出す。
【００８０】
ステップＳ２において、ＣＰＵ８は、ステップＳ１で読み出したファイル開始Ｔ側巻径情報に基づいて、ファイル開始Ｔ側巻径の近傍である−αの点、例えば、−１ｍｍ点に磁気テープ１１を走行させＣｕｅ  ＵｐするようＶＴＲシステム部３を制御する。
【００８１】
ステップＳ３において、ＣＰＵ８は、Ｃｕｅ  Ｕｐ動作が終了したかどうかを判断し、終了した場合は工程をステップＳ４へと進め、終了していない場合はそのままＣｕｅ  Ｕｐ動作が継続されるようにＶＴＲシステム部３を制御する。
【００８２】
ステップＳ４において、ＣＰＵ８は、ＶＴＲシステム３を制御して、磁気テープ１１を再生させ、ユーザによって指定されたタイムコード（ＴＣ）を検索する。
【００８３】
ステップＳ５において、ＣＰＵ８は、磁気テープ１１が再生されることで抽出されるタイムコード（ＴＣ）が、ユーザによって指定された所望のタイムコード（ＴＣ）であるかどうかを判断し、所望のタイムコード（ＴＣ）であった場合は工程を終了し、所望のタイムコード（ＴＣ）でない場合は当該タイムコード（ＴＣ）を検索する工程を継続させる。
【００８４】
このようにして、ＶＴＲは、ファイル情報の１つとしてファイル開始Ｔ側巻径情報をファイルシステム用メモリ７に記憶し、ファイルへのアクセス時にタイムコード（ＴＣ）情報と、ファイル開始Ｔ側巻径情報とを用いることで、磁気テープ１１上の所望のファイルへのアクセスを確実に実行することができる。
【００８５】
なお、上述のＳリール１２の巻径Ｒｓ、及び、Ｔリール１７の巻径Ｒｔの算出方法は一例であって、これに限定されるものではなく様々な手法が適用可能である。
【００８６】
【発明の効果】
以上の説明からも明らかなように、本発明の駆動装置は、従来から用いられているタイムコード情報に加え、巻装されているテープ状記録媒体の巻径情報を用いることで、ユーザの視覚や聴覚に依存しなくとも、確実にテープ記録媒体上に記録された所望のファイル内の情報へアクセスすることを可能とする。
【００８７】
また、本発明の駆動装置は、所望のファイル内の情報へアクセスする際、まず、巻径情報を用いて、テープ状記録媒体に記録されたファイルのファイル記録開始点へアクセスするため、テープ状記録媒体を再生させタイムコード情報のみを用いたアクセスよりも、所望のファイル内の情報へのアクセス時間を大幅に短縮することができる。
また、本発明の駆動装置は、主にテープ状記録媒体の始めの付近にファイルが作成されることが多く、供給リール側にテープの巻き付け量が多くなっており供給リール側の巻径から算出される巻径情報に誤差を含んでいる可能性が高くなるため、巻き取りリール側の巻径情報を用いることにより、テープ状記録媒体上の所望のファイルへのアクセスを確実に実行することができる。
【図面の簡単な説明】
【図１】本発明の実施の形態として示すＶＴＲの要部構成を説明するためのブロック図である。
【図２】同ＶＴＲにおいて、磁気テープ駆動部の要部構成を説明するためのブロック図である。
【図３】同ＶＴＲにおいて、巻径情報を算出する際に用いる、定数及び変数について示した図である。
【図４】同ＶＴＲにおいて、磁気テープ上の所定のファイルへアクセスする際の動作を説明するためのフローチャートである。
【符号の説明】
１  ネットワークインターフェース、２  バッファメモリ、３  ＶＴＲシステム部、４  コントロールパネル、５  ファイルシステム制御部、６  エンコーダ／デコーダ、７  ファイルシステム用メモリ、８  ＣＰＵ、１０  ビデオカセット、１１  磁気テープ、１２  供給リール（Ｓリール）、１３  テープガイド、１４  回転ドラム、１５  キャプスタン、１６  ピンチローラ、１７  巻き取りリール（Ｔリール）、２１  ラベル、２２  ＩＣメモリ、２３  エンコーダ／騨コーダ、２４  コイルアンテナ、２５  メモリタグ
【図１】
0004306141.tif 000013
【図２】
0004306141.tif 000014
【図３】
0004306141.tif 000015
【図４】
0004306141.tif 000016